(57)【特許請求の範囲】
【請求項１】
排水トラップ下部のキャップを掴持するキャップ掴持部を内設してなるコップ形状体であることを特徴とする排水トラップ補助用具。
【請求項２】
コップ形状体のキャップ掴持部が、コップ形状体のその内壁から突設した複数本のリブを備え、かつその上部中央に、排水トラップ下部のキャップを嵌入可能な段穴部を穿設して構成されてなることを特徴とする請求項１記載の排水トラップ補助用具。
【請求項３】
コップ形状体が、その段穴部のリブ端面に三角柱状突起部を突設し、キャップの外周面に縦設された縦ローレットに係止可能に形成したことを特徴とする請求項１又は２のいずれかに記載の排水トラップ補助用具。
【請求項４】
排水トラップ補助用具が、歯科診療装置用のものであることを特徴とする請求項１ないし３のいずれかに記載の排水トラップ補助用具。
【発明の詳細な説明】
【０００１】
【産業上の利用分野】
本発明は排水トラップ補助用具に関し、特に歯科診療装置に好適に使用される排水トラップ補助用具に関する。
【０００２】
【従来の技術と発明が解決しようとする課題】
従来、排水トラップは実験・研究室、医科歯科用診療室等における排水管途中に臭気の逆流を防ぐ等の目的で配設されている。
歯科診療装置の排水トラップは、歯科治療の際の臭気の逆流を防ぎ、また排水中の汚物を取り除くため、歯科診療装置の排水管途中に設置される。
従来構造の排水トラップは、トラップ本体内に溜まった汚物を定期的に清掃するためトラップ下部のキャップを取り外す必要があるが、その取り外し作業中にトラップ本体内に溜まった残留排水が外部へ流出するため、排水受け用のバケツを用意しなければならず、またキャップを取り外すとき汚れた排水が手に掛かって不衛生となる課題を有していた。
【０００３】
【課題を解決するための手段】
本発明は、前記課題を解決するものであって、排水トラップ下部のキャップを掴持するキャップ掴持部を内設してなるコップ形状体からなる排水トラップ補助用具である。そして、本発明のコップ形状体からなる排水トラップ補助用具は、排水トラップ下部のキャップを該コップ形状体のキャップ掴持部に嵌入して用いられ、該コップ形状体を回動することにより前記キャップも回動されて取り外しでき、かつ排水トラップ残留水もコップ形状体内に受け入れできるものである。
そして、該コップ形状体を用いることにより、キャップ取外しのとき流出する排水は該コップ形状体内に受け入れられて、バケツを用いる必要なく、手を汚さずにキャップをトラップ下部から取外し、トラップ下部又はキャップ内のフィルター及びパッキンを取り出して清掃あるいは補修ができる。
また、本発明では、コップ形状体のキャップ掴持部が、コップ形状体のその内壁から突設した複数本のリブを備え、かつその上部中央に、排水トラップ下部のキャップを嵌入可能な段穴部を穿設して構成されてなることが好ましい。
さらに、コップ形状体が、その段穴部のリブ端面に三角柱状突起部を突設し、キャップの外周面に縦設された縦ローレットに係止可能に形成したものが好ましい。そして、該排水トラップ補助用具は、医科・歯科診療装置、特にスピットンの排水トラップ下部のキャップを取り外するために使用されるものであることが好ましい。
【０００４】
【実施例】
以下に、本発明の排水トラップ補助用具を、歯科診療装置の排水トラップ下部のキャップを取り外するのに使用する実施例につき図面に基づき説明する。
図１は本発明の排水トラップ補助用具を排水トラップ下部のキャップに被着した状態の実施例の縦断面図、図２は排水トラップ下部の構成部品分解断面図、図３は本発明排水トラップ補助用具の分解図であって、その３ー１図は平面図、３ー２図は縦断面図で、図４は排水トラップ補助用具の分解した構成部品の斜視図である。
図中、１は排水トラップ本体、２はキャップ、２bは縦ローレット、３はフィルター、４はパッキン、５はコップ形状体よりなる排水トラップ補助用具、５aは水溜め部、６は排水、７はリブ、８は段穴部、９は三角柱状突起部である。
図１に見られるごとく、本発明実施例のコップ形状体よりなる排水トラップ補助用具５を嵌挿した状態の排水トラップは、トラップ本体１、フィルター３及びパッキン４は従来構造のままで、トラップ本体１はその上部に管路入口１aを縦設し、管路出口１bを横設し、その外周下部にキャップ２の螺着用のおねじ部１cを螺設した円筒状に形成されている。また、フィルター３は円筒状金網製で下端に把手３aを突設し、パッキン４は中心孔を有する円形構造で、キャップ２をトラップ本体１に螺着したとき排水６の漏れ止め用である。
また、前記トラップ本体１に螺着するキャップ２は基本的には従来構造のままで、円筒容器の内周面にトラップ本体１のおねじ部１cに螺合するめねじ部２aを螺設している。しかし、該キャップ２の外周面には、後述するコップ形状体の排水トラップ補助用具５に係止可能な縦ローレット２bが縦設してあり、特徴的な外形となっている。
【０００５】
キャップ２は、排水路に固着しているトラップ本体１下部にフィルター３及びパッキン４を収納して締着される。排水６は管路入口１aからトラップ本体１内に流入して溜まり、フィルター３を通過して汚物を除去され、管路出口１bから排出される。
【０００６】
コップ形状体よりなる排水トラップ補助用具５は排水トラップ下部のキャップ２に被着し、該キャップ２を回動して取外し可能に形成される。
排水トラップ補助用具５は内壁面に６本のリブ７を放射状に突設しており、該リブ７の中心にはキャップ２が嵌入可能な段穴部８が段部を設けて穿設されている。また段穴部８の各リブ７の端面には三角柱状突起部９が突設してあり、キャップ２を嵌入したとき該キャップ２の外周の縦ローレット２bを係止できるように形成している。
従って図１のごとく、排水トラップ補助用具５を排水トラップ下部のキャップ２に被着したときは、該補助用具５を回動するとキャップ２も回動され、キャップ２の取外しが可能となる。
従って、トラップ本体１内に溜まった汚物を定期的に清掃するためキャップ２を取り外すときは、排水トラップ補助用具５を下方からキャップ２に被着し、該キャップ２を回動して取り外す。そのときトラップ本体１内に溜まった排水６は下方に流出するが、すべて該排水トラップ補助用具５内に流入するから従来のように排水受け用のバケツを用意する必要がなくなる。なお、排水トラップ補助用具５の水溜め部５aの容量は、トラップ本体１内の排水６を十分に受け入れられる容量を必要とする。
また、排水トラップに付設された補助用具５は、キャップ２に被着した状態で粘着テープで固着してもよく、常時は取外して保管しておき、清掃のときキャップ２に被着して使用してもよい。
【０００７】
【発明の効果】
本発明の排水トラップ補助用具は、排水トラップ下部のキャップを掴持するキャップ掴持部が内設されたコップ形状体から構成されているので、排水トラップ下部のキャップを該コップ形状体のキャップ掴持部に嵌入して用いることができ、該コップ形状体を回動することにより前記キャップも回動されて取り外しでき、かつ排水トラップ残留水もコップ形状体内に受け入れできる。
すなわち、本発明のコップ形状体よりなる排水トラップ補助用具は、排水トラップ下部のキャップに被着し、該キャップを回動して取外し可能に形成しているから、キャップ取外しのときトラップ本体から流出する排水は排水トラップ補助用具内に受け入れられ、従来のごとくバケツ等により溢水を受ける必要がなく、手を汚す心配もない。
よって、トラップ本体内に溜まった汚物の清掃が容易かつ衛生的に行うことができる。
【図面の簡単な説明】
【図１】排水トラップ補助用具を排水トラップ下部のキャップに被着した状態の実施例の縦断面図である。
【図２】排水トラップ下部の構成部品分解断面図である。
【図３】本発明実施例排水トラップ補助用具の分解図であり、その３ー１図は平面図、３ー２図は縦断面図である。排水トラップ補助用具を排水トラップ下部のキャップに被着した状態の実施例の縦断面図である。
排水受けキャップの分解図で、３ー１は平面図、３ー２は縦断面図である。
【図４】排水トラップ補助用具の分解構成部品の斜視図である。
【符号の説明】
１    トラップ本体                １a   管路入口
１b   管路出口                    １c   おねじ部
２    キャップ                    ２a   めねじ部
２b   縦ローレット                ３    フィルター
３a   把手                        ４    パッキン
５   コップ形状体よりなる排水トラップ補助用具
５a   水溜め部
６    排水                         ７   リブ
８    段穴部                       ９    三角柱状突起部
【図１】
0003572648.tif 000002
【図２】
0003572648.tif 000003
【図３】
0003572648.tif 000004
【図４】
0003572648.tif 000005